(57)【要約】      （修正有）【課題】破損を低減させることができるヘアーアイロン用カバー部材を提供することを目的としている。【解決手段】ヘアーアイロン用カバー部材１は、ヘアーアイロン２の加熱部２３に装着されるヘアーアイロン用カバー部材本体１０を有し、ヘアーアイロン用カバー部材本体１０の先端部１０ａ３は、段差のない平坦状に形成されている。これにより、従来のように、凹部と凸部を嵌合させる必要がないため、ヘアーアイロン用カバー部材本体１０の先端部１０ａ３が破れてしまう事態を低減させることができる。【選択図】図１
2020065583.tif 000002
【特許請求の範囲】
【請求項１】
ヘアーアイロンの加熱部に装着されるヘアーアイロン用カバー部材本体を有し、
前記ヘアーアイロン用カバー部材本体の先端部は、段差のない平坦状に形成されてなるヘアーアイロン用カバー部材。
【請求項２】
前記ヘアーアイロン用カバー部材本体の外周面には、適当間隔置きに、該ヘアーアイロン用カバー部材本体の幅方向に沿って、突条部が設けられてなる請求項１に記載のヘアーアイロン用カバー部材。
【請求項３】
前記ヘアーアイロン用カバー部材本体は、上部、下部、側部を具備する形状であって、
前記ヘアーアイロン用カバー部材本体の側部の厚みは、前記ヘアーアイロン用カバー部材本体の上部及び下部の厚みに比べ厚くなるように形成されてなる請求項１又は２に記載のヘアーアイロン用カバー部材。
【請求項４】
前記請求項１〜３の何れか１項に記載のヘアーアイロン用カバー部材を使用したヘアーアイロン。
【発明の詳細な説明】
【技術分野】
【０００１】
本発明は、ヘアーアイロン用カバー部材及びヘアーアイロンに関する。
【背景技術】
【０００２】
近年、熱反応型の髪を補修する液剤が多用されている。この液剤は、髪に塗布され、遠赤外線加温機で加温することで使用されるものである。
【０００３】
しかしながら、遠赤外線加温機では、髪の表面にしか熱が伝わらず、補修能力が低くなるといった問題があった。
【０００４】
そこで、そのような問題を解決すべく、特許文献１に記載のようなヘアーアイロンが使用されている。しかるに、このようなヘアーアイロンを使用すれば、髪へ均一に熱が伝わることとなり、もって、補修能力を高めることが可能となる。
【先行技術文献】
【特許文献】
【０００５】
【特許文献１】実用新案登録第３１５３００８号公報
【発明の概要】
【発明が解決しようとする課題】
【０００６】
ところで、上記のようなヘアーアイロンには、ヘアーアイロンの加熱部に耐熱シリコン・ゴムで成型されているヘアーアイロン用カバー部材（非金属加圧部材）が装着されている。このような、ヘアーアイロン用カバー部材を、ヘアーアイロンの加熱部に装着するにあたっては、ヘアーアイロン用カバー部材の先端部、後端部の両側にそれぞれ設けられている凹部を、ヘアーアイロンの加熱部の先端部、後端部のロードケース両側に設けられている凸部にそれぞれ挿入することで、装着できるようになっている。
【０００７】
しかしながら、ヘアーアイロン用カバー部材の先端部に設けられている凹部を、ヘアーアイロンの加熱部の先端部に設けられている凸部に挿入する際、ヘアーアイロン用カバー部材の先端部の凹部を、ヘアーアイロンの加熱部の先端部に設けられている凸部に嵌合させ難く、もって、ヘアーアイロン用カバー部材の先端部が破れてしまい、ヘアーアイロン用カバー部材が破損してしまう可能性があるといった問題があった。
【０００８】
そこで本発明は、上記問題に鑑み、破損を低減させることができるヘアーアイロン用カバー部材及びヘアーアイロンを提供することを目的としている。
【課題を解決するための手段】
【０００９】
上記本発明の目的は、以下の手段によって達成される。なお、括弧内は、後述する実施形態の参照符号を付したものであるが、本発明はこれに限定されるものではない。
【００１０】
請求項１のヘアーアイロン用カバー部材（１）は、ヘアーアイロン（２）の加熱部（２３）に装着されるヘアーアイロン用カバー部材本体（１０）を有し、
前記ヘアーアイロン用カバー部材本体（１０）の先端部（１０ａ３）は、段差のない平坦状に形成されてなることを特徴としている。
【００１１】
また、請求項２の発明によれば、上記請求項１に記載のヘアーアイロン用カバー部材（１）において、前記ヘアーアイロン用カバー部材本体（１０）の外周面（下面１０ｂ１）には、適当間隔置きに、該ヘアーアイロン用カバー部材本体（１０）の幅方向に沿って、突条部（１０ｂ２）が設けられてなることを特徴としている。
【００１２】
さらに、請求項３の発明によれば、上記請求項１又は２に記載のヘアーアイロン用カバー部材（１）において、前記ヘアーアイロン用カバー部材本体（１０）は、上部（１０ａ）、下部（１０ｂ）、側部（左側部１０ｃ，右側部１０ｄ）を具備する形状であって、
前記ヘアーアイロン用カバー部材本体（１０）の側部（左側部１０ｃ，右側部１０ｄ）の厚み（ｔ１）は、前記ヘアーアイロン用カバー部材本体（１０）の上部（１０ａ）及び下部（１０ｂ）の厚み（ｔ２）に比べ厚くなるように形成されてなることを特徴としている。
【００１３】
一方、請求項４の発明によれば、上記請求項１〜３の何れか１項に記載のヘアーアイロン用カバー部材（１）を使用したヘアーアイロン（２）であることを特徴としている。
【発明の効果】
【００１４】
次に、本発明の効果について、図面の参照符号を付して説明する。なお、括弧内は、後述する実施形態の参照符号を付したものであるが、本発明はこれに限定されるものではない。
【００１５】
請求項１の発明によれば、ヘアーアイロン用カバー部材本体（１０）の先端部（１０ａ３）は、段差のない平坦状に形成されているから、従来のように、凹部と凸部を嵌合させる必要がない。それゆえ、ヘアーアイロン用カバー部材本体（１０）の先端部（１０ａ３）が破れてしまう事態を低減させることができる。
【００１６】
しかして、本発明によれば、破損を低減させることができる。
【００１７】
また、請求項２の発明によれば、ヘアーアイロン用カバー部材本体（１０）の外周面（下面１０ｂ１）には、適当間隔置きに、該ヘアーアイロン用カバー部材本体（１０）の幅方向に沿って、突条部（１０ｂ２）が設けられているから、内巻き又は外巻きカールの施術を行う際、毛先を整えながら滑らかに施術することができる。
【００１８】
さらに、請求項３の発明によれば、ヘアーアイロン用カバー部材本体（１０）の側部（左側部１０ｃ，右側部１０ｄ）の厚み（ｔ１）は、ヘアーアイロン用カバー部材本体（１０）の上部（１０ａ）及び下部（１０ｂ）の厚み（ｔ２）に比べ厚くなるように形成されているから、被施術者が不快ないし不安に感じてしまう事態を低減させることができる。
【００１９】
一方、請求項４の発明によれば、上記請求項１〜３の何れか１項に記載のヘアーアイロン用カバー部材（１）を使用したヘアーアイロン（２）であるから、上記請求項１〜３の何れか１項に記載のヘアーアイロン用カバー部材（１）と同様の効果を奏することができる。
【図面の簡単な説明】
【００２０】
【図１】本発明の一実施形態に係るヘアーアイロン用カバー部材をヘアーアイロンの加熱部に装着しようとしている一部分解斜視図である。
【図２】（ａ）は、同実施形態に係るヘアーアイロン用カバー部材の縦断面図、（ｂ）は、同実施形態に係るヘアーアイロン用カバー部材を開口部側から見た図である。
【図３】（ａ）は、同実施形態に係るヘアーアイロン用カバー部材を装着したヘアーアイロンにて濡れた髪を施術しようとしている状態を示す斜視図、（ｂ）は、（ａ）に示すヘアーアイロンを回転させた際、所定の束をなした濡れた髪が、複数の突条部間に載置された状態を示す斜視図である。
【発明を実施するための形態】
【００２１】
以下、本発明に係るヘアーアイロン用カバー部材の一実施形態を、図面を参照して具体的に説明する。なお、以下の説明において、上下左右の方向を示す場合は、図示正面から見た場合の上下左右をいうものとする。
【００２２】
図１及び図２に示すように、ヘアーアイロン用カバー部材１は、特に、図２（ａ）に示すように、縦断面視、略縦長半円状のヘアーアイロン用カバー部材本体１０を有している。このヘアーアイロン用カバー部材本体１０は、弾性変形可能な部材（例えば、耐熱シリコン・ゴム等）で形成されると共に、図２（ａ）に示すように中空状に形成され、後部には開口部１１が形成されている。そして、図２（ａ）に示すように、このヘアーアイロン用カバー部材本体１０の上部１０ａにおける上面１０ａ１は、後端部１０ａ２に段差のある凹段部が形成され、さらに、その凹段部のある後端部１０ａ２から先端部１０ａ３に亘って、段差のない平坦部が形成されている。すなわち、ヘアーアイロン用カバー部材本体１０の先端部１０ａ３は、段差のない平坦状に形成されている。
【００２３】
一方、図２（ａ）に示すように、このヘアーアイロン用カバー部材本体１０の下部１０ｂの外周面（下面１０ｂ１）には、ヘアーアイロン用カバー部材本体１０の幅方向に沿って、所定間隔置きに、外方向に向かって、突条部１０ｂ２が一体的に形成されている。
【００２４】
また一方、図２（ｂ）に示すように、このヘアーアイロン用カバー部材本体１０の左側部１０ｃ及び右側部１０ｄの厚みｔ１は、ヘアーアイロン用カバー部材本体１０の上部１０ａ及び下部１０ｂの厚みｔ２に比べ厚くなるように形成されている。具体的には、厚みｔ１は、約０．９ｍｍに形成され、厚みｔ２は、約０．５ｍｍに形成されている。
【００２５】
かくして、上記のように形成されるヘアーアイロン用カバー部材１は、図１に示すように、ヘアーアイロン２に装着されて使用される。
【００２６】
このヘアーアイロン２は、図１に示すように、一対の長尺略矩形状のロード２０を有しており、この一対のロード２０は、後端部２０ａが相互結合してヒンジ部２１を中心に矢印Ｐ１，Ｐ２方向に回動できるようになっている。
【００２７】
一方、このロード２０は、図１に示すように、後端部２０ａ側に、使用者が把持可能な把持部２２が設けられており、先端部２０ｂ側に、加熱部２３が設けられている。この加熱部２３は、内部に図示しないヒータが設けられており、このヒータの熱エネルギーが伝達されることによって加熱される矩形状の金属からなる加熱板２３ａが設けられている。この加熱板２３ａの先端部２３ａ１は、図１に示すように、第１の支持部２３ｂに支持されており、加熱板２３ａの後端部２３ａ２は、第２の支持部２３ｃに支持されている。この第１の支持部２３ｂは、図１及び図２（ａ）に示すように、加熱板２３ａの上面２３ａ３と面一となるように形成されると共に、厚みのある半円形状に形成されている。一方、第２の支持部２３ｃは、図１及び図２（ａ）に示すように、加熱板２３ａの上面２３ａ３よりも低い位置に上面２３ｃ１が来るように形成されると共に、厚みのある矩形状に形成されている。これにより、加熱板２３ａの後端部２３ａ２と、第２の支持部２３ｃの上面２３ｃ１とに、段差部が生じることとなる。なお、図示しないヒータは、図示しない商用電源に接続する電線コード２４から供給される電気エネルギーによって発熱することとなる。
【００２８】
かくして、このように形成されるヘアーアイロン２の一対のロード２０には、それぞれ、図１に示すように、ロード２０の加熱部２３（先端部２０ｂ）に、ヘアーアイロン用カバー部材１が装着されることとなる。より詳しく説明すると、ロード２０の先端部２０ｂには、ヘアーアイロン用カバー部材本体１０が、ヘアーアイロン用カバー部材本体１０の後部に形成されている開口部１１より挿入される（矢印Ｐ３参照）。これにより、図２（ａ）に示すように、加熱板２３ａの後端部２３ａ２と、第２の支持部２３ｃの上面２３ｃ１とに生じている段差部に、ヘアーアイロン用カバー部材本体１０の後端部１０ａ２に形成されている凹段部が密着嵌合し、もって、ロード２０の加熱部２３（先端部２０ｂ）に、ヘアーアイロン用カバー部材１が装着されることとなる。
【００２９】
しかして、この際、ヘアーアイロン用カバー部材本体１０の先端部１０ａ３は、段差のない平坦状に形成されているから、従来のように、凹部と凸部を嵌合させる必要がない。それゆえ、ヘアーアイロン用カバー部材本体１０の先端部１０ａ３が破れてしまう事態を低減させることができる。
【００３０】
なお、図１に示す上部に位置するロード２０の先端部２０ｂには、図１に示す下部に位置するロード２０の先端部２０ｂに装着されるヘアーアイロン用カバー部材１を１８０度回転させたヘアーアイロン用カバー部材１が装着されることとなる。
【００３１】
かくして、このように、ロード２０の加熱部２３（先端部２０ｂ）に、ヘアーアイロン用カバー部材１が装着されたヘアーアイロン２は、図３に示すように使用される。すなわち、図３（ａ）に示すように、主として、濡れた髪Ｈに対して熱反応型の髪を補修する液剤を塗布して、その液剤を塗布した濡れた髪Ｈを、ヘアーアイロン用カバー部材１が装着された一対のロード２０の上面１０ａ１同士で挟み込み加熱することとなる。これにより、パーマなどの施術が可能となる。
【００３２】
ところで、この際、ヘアーアイロン用カバー部材１が装着されたヘアーアイロン２は、図示しないヒータによって、加熱板２３ａが加熱され、その加熱板２３ａの熱が、ロード２０の加熱部２３（先端部２０ｂ）に装着されているヘアーアイロン用カバー部材１に伝達されることとなる。これにより、濡れた髪Ｈを、ヘアーアイロン用カバー部材１が装着された一対のロード２０の上面１０ａ１同士で挟み込み加熱する際、加熱板２３ａの熱が濡れた髪Ｈに対して直接伝わることなく、ヘアーアイロン用カバー部材１を介して伝わることとなる。それゆえ、濡れた髪Ｈを、ヘアーアイロン用カバー部材１が装着された一対のロード２０の上面１０ａ１同士で挟み込み加熱したとしても、瞬間蒸発現象が発生せず、もって、髪へ均一に熱が伝わることとなる。これにより、髪Ｈの補修能力を高めることが可能となる。
【００３３】
ところで、濡れた髪Ｈを、ヘアーアイロン用カバー部材１が装着された一対のロード２０の上面１０ａ１同士で挟み込み加熱する際、図３（ａ）に示すように、ヘアーアイロン用カバー部材本体１０の左側部１０ｃの外周面１０ｃ１又は右側部１０ｄの外周面１０ｄ１に、濡れた髪Ｈの水滴Ｗが付くこととなる。この際、加熱板２３ａの熱がヘアーアイロン用カバー部材１に伝達された際、その熱によって、水滴Ｗが蒸発し、もって、その蒸発の際の「ジュー」という音によって、被施術者が不快ないし不安に感じてしまうということがある。
【００３４】
そこで、本実施形態においては、被施術者が不快ないし不安に感じてしまう事態を低減させるため、図２（ｂ）に示すように、ヘアーアイロン用カバー部材本体１０の左側部１０ｃ及び右側部１０ｄの厚みｔ１を、ヘアーアイロン用カバー部材本体１０の上部１０ａ及び下部１０ｂの厚みｔ２に比べ厚くなるように形成している。これにより、加熱板２３ａの熱がヘアーアイロン用カバー部材１に伝達された際、厚みを厚くしている分、ヘアーアイロン用カバー部材本体１０の左側部１０ｃの外周面１０ｃ１及び右側部１０ｄの外周面１０ｄ１に熱が伝わりにくくなる。それゆえ、図３（ａ）に示すように、ヘアーアイロン用カバー部材本体１０の左側部１０ｃの外周面１０ｃ１又は右側部１０ｄの外周面１０ｄ１に、濡れた髪Ｈの水滴Ｗが付いたとしても、水滴Ｗが蒸発し難くなり、もって、被施術者が不快ないし不安に感じてしまう事態を低減させることができる。
【００３５】
一方、濡れた髪Ｈを、ヘアーアイロン用カバー部材１が装着された一対のロード２０の上面１０ａ１同士で挟み込み加熱する際、内巻き又は外巻きカールの施術を行う場合がある。そこで、本実施形態においては、内巻き又は外巻きカールの施術を行う際、毛先を整えながら滑らかに施術することができるように、図１及び図２（ａ）に示すように、ヘアーアイロン用カバー部材本体１０の下部１０ｂの外周面（下面１０ｂ１）に、ヘアーアイロン用カバー部材本体１０の幅方向に沿って、所定間隔置きに、外方向に向かって、突条部１０ｂ２を一体的に形成している。すなわち、例えば、内巻きカールの施術を行うにあたっては、図３（ａ）に示すように、濡れた髪Ｈを、ヘアーアイロン用カバー部材１が装着された一対のロード２０の上面１０ａ１同士で挟み込んだ状態で、ヘアーアイロン２を矢印Ｐ４方向に回転させることとなる。これにより、図３（ｂ）に示すように、ヘアーアイロン用カバー部材本体１０の下部１０ｂの外周面（下面１０ｂ１）に形成されている突条部１０ｂ２が濡れた髪Ｈの間に割り込んでいくこととなる。しかるに、髪Ｈの間に突条部１０ｂ２が割り込んでいくと、所定の束Ｈａをなした濡れた髪Ｈが、複数の突条部１０ｂ２間に載置されることとなる。しかして、このように、所定の束Ｈａをなした濡れた髪Ｈが、複数の突条部１０ｂ２間に載置されることにより、内巻きカールの施術を、毛先を整えながら滑らかに行うことができることとなる。なお、外巻きカールの施術を行うにあたっては、図３（ａ）に示す矢印Ｐ４方向と逆方向に回転させればよい。
【００３６】
しかして、ヘアーアイロン用カバー部材本体１０の下部１０ｂの外周面（下面１０ｂ１）に、ヘアーアイロン用カバー部材本体１０の幅方向に沿って、所定間隔置きに、外方向に向かって、突条部１０ｂ２を一体的に形成すれば、内巻き又は外巻きカールの施術を行う際、毛先を整えながら滑らかに施術することができることとなる。
【００３７】
しかして、以上説明した本実施形態によれば、ヘアーアイロン用カバー部材１の破損を低減させることができる。
【００３８】
なお、本実施形態において示した形状等はあくまで一例であり、特許請求の範囲に記載された本発明の要旨の範囲内において、種々の変形・変更が可能である。例えば、本実施形態において示したヘアーアイロン用カバー部材１の突条部１０ｂ２は、所定間隔置きに形成する例を示したが、それに限らず、ランダムに形成しても良い。また、突条部１０ｂ２は、ヘアーアイロン用カバー部材本体１０と一体的に形成する例を示したが、それに限らず、別体で形成しても良い。さらに、突条部１０ｂ２は、ヘアーアイロン用カバー部材本体１０の下部１０ｂの外周面（下面１０ｂ１）に形成する例を示したが、それに限らず、ヘアーアイロン用カバー部材本体１０の上部１０ａの外周面（上面１０ａ１）に形成しても良い。
【００３９】
一方、本実施形態において示したヘアーアイロン２は、あくまで一例に過ぎず、ヘアーアイロン用カバー部材１を装着するにあたっては、どのようなヘアーアイロンに装着しても良い。
【００４０】
また、本実施形態においては、濡れた髪Ｈに対してヘアーアイロン用カバー部材１を装着したヘアーアイロン２を使用する例を示したが、それに限らず、乾いた髪に使用しても良い。
【符号の説明】
【００４１】
１              ヘアーアイロン用カバー部材
２              ヘアーアイロン
１０            ヘアーアイロン用カバー部材本体
１０ａ          （ヘアーアイロン用カバー部材本体の）上部
１０ａ３        （ヘアーアイロン用カバー部材本体の）先端部
１０ｂ          （ヘアーアイロン用カバー部材本体の）下部
１０ｂ１        （下部の）下面（外周面）
１０ｂ２        突条部
１０ｃ          （ヘアーアイロン用カバー部材本体の）左側部（側部）
１０ｄ          （ヘアーアイロン用カバー部材本体の）右側部（側部）
２３            加熱部
ｔ１，ｔ２      厚み
【図１】
2020065583.tif 000003
【図２】
2020065583.tif 000004
【図３】
2020065583.tif 000005
【手続補正書】
【提出日】令和1年9月27日(2019.9.27)
【手続補正１】
【補正対象書類名】特許請求の範囲
【補正対象項目名】全文
【補正方法】変更
【補正の内容】
【特許請求の範囲】
【請求項１】
ヘアーアイロンの加熱部に装着されるヘアーアイロン用カバー部材本体を有し、
前記ヘアーアイロン用カバー部材本体の先端部は、段差のない平坦状に形成され、
前記ヘアーアイロン用カバー部材本体は、上部、下部、側部を具備する形状であって、
前記ヘアーアイロン用カバー部材本体の側部の厚みは、前記ヘアーアイロン用カバー部材本体の上部及び下部の厚みに比べ厚くなるように形成されてなるヘアーアイロン用カバー部材。
【請求項２】
前記ヘアーアイロン用カバー部材本体の外周面には、適当間隔置きに、該ヘアーアイロン用カバー部材本体の幅方向に沿って、突条部が設けられてなる請求項１に記載のヘアーアイロン用カバー部材。
【請求項３】
前記請求項１又は２に記載のヘアーアイロン用カバー部材を使用したヘアーアイロン。
【手続補正２】
【補正対象書類名】明細書
【補正対象項目名】００１０
【補正方法】変更
【補正の内容】
【００１０】
請求項１のヘアーアイロン用カバー部材（１）は、ヘアーアイロン（２）の加熱部（２３）に装着されるヘアーアイロン用カバー部材本体（１０）を有し、
前記ヘアーアイロン用カバー部材本体（１０）の先端部（１０ａ３）は、段差のない平坦状に形成され、
前記ヘアーアイロン用カバー部材本体（１０）は、上部（１０ａ）、下部（１０ｂ）、側部（左側部１０ｃ，右側部１０ｄ）を具備する形状であって、
前記ヘアーアイロン用カバー部材本体（１０）の側部（左側部１０ｃ，右側部１０ｄ）の厚み（ｔ１）は、前記ヘアーアイロン用カバー部材本体（１０）の上部（１０ａ）及び下部（１０ｂ）の厚み（ｔ２）に比べ厚くなるように形成されてなることを特徴としている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
一方、請求項３の発明によれば、上記請求項１又は２に記載のヘアーアイロン用カバー部材（１）を使用したヘアーアイロン（２）であることを特徴としている。
【手続補正５】
【補正対象書類名】明細書
【補正対象項目名】００１６
【補正方法】変更
【補正の内容】
【００１６】
しかして、本発明によれば、破損を低減させることができる。また、請求項１の発明によれば、ヘアーアイロン用カバー部材本体（１０）の側部（左側部１０ｃ，右側部１０ｄ）の厚み（ｔ１）は、ヘアーアイロン用カバー部材本体（１０）の上部（１０ａ）及び下部（１０ｂ）の厚み（ｔ２）に比べ厚くなるように形成されているから、被施術者が不快ないし不安に感じてしまう事態を低減させることができる。
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】変更
【補正の内容】
【００１９】
一方、請求項３の発明によれば、上記請求項１又は２に記載のヘアーアイロン用カバー部材（１）を使用したヘアーアイロン（２）であるから、上記請求項１又は２に記載のヘアーアイロン用カバー部材（１）と同様の効果を奏することができる。